(57)【要約】【課題】支持強度を確保しつつカメラ本体の小型化を図ることのできるカメラを提供する。【解決手段】本発明は、格納位置と使用位置との間で回動可能のストロボユニット４をカメラ本体１の上部に有し、カメラ本体の上部にオプションパーツを案内する一対の案内壁部１５を有するアクセサリーシュー５が設けられ、ストロボユニット４は一対の案内壁部１５を跨ぐ方向に間隔を開けて設けられた一対の脚部９を有し、一対の案内壁部１５には一対の脚部９を回動可能に支承する支承部が形成され、支承部は一対の案内壁部１５にそれぞれ形成された嵌合穴１５ａであり、一対の脚部９には各嵌合穴１５ａに嵌合される一対の軸部９ａである。【選択図】図３
2008233704.tif 000002
【特許請求の範囲】
【請求項１】
格納位置と使用位置との間で回動可能のストロボユニットをカメラ本体の上部に有し、前記カメラ本体の上部にオプションパーツを案内する一対の案内壁部を有するアクセサリーシューが設けられているカメラにおいて、
前記ストロボユニットは一対の案内壁部を跨ぐ方向に間隔を開けて設けられた一対の脚部を有し、前記一対の案内壁部には該一対の脚部を回動可能に支承する支承部が形成されていることを特徴とするカメラ。
【請求項２】
前記ストロボユニットは弾性体によって使用位置に向かう方向に回動付勢されていることを特徴とする請求項１に記載のカメラ。
【請求項３】
前記支承部は前記一対の案内壁部にそれぞれ形成された嵌合穴であり、前記一対の脚部には前記各嵌合穴に嵌合される一対の軸部がそれぞれ形成されていることを特徴とする請求項２に記載のカメラ。
【請求項４】
前記支承部は前記一対の案内壁部から互いに反対方向に向かって突出する一対の軸部であり、前記一対の脚部には前記一対の軸部に嵌合される嵌合穴がそれぞれ形成されていることを特徴とする請求項２に記載のカメラ。
【請求項５】
前記一対の案内壁部は前記カメラ本体の背面側から前面側に向かって延びており、前記支承部は前記背面側で前記一対の脚部の後部を回動可能に支承していることを特徴とする請求項３又は請求項４に記載のカメラ。
【請求項６】
前記カメラ本体の上部には前記一対の案内壁部の延びる方向前方部分にカバーが設けられ、該カバーにはその下方に当て面が形成され、前記ストロボユニットは格納位置で前記カメラ本体の正面部に位置され、該ストロボユニットは前記カバーの前記当て面に下から当接して使用位置に回動角度規制されていることを特徴とする請求項５に記載のカメラ。
【請求項７】
前記カメラ本体の上部には前記一対の案内壁部の延びる方向前方部分にカバーが設けられ、該カバーにはその下方に当て面が形成され、前記ストロボユニットにはカメラの左右方向中央でかつ下部に前記カメラ本体に向かって突出する係合突起部が形成され、前記ストロボユニットは格納位置で前記カメラ本体の正面部に位置され、該ストロボユニットは前記カバーの前記当て面に前記突起部が下から当接して使用位置に回動角度規制されていることを特徴とする請求項５に記載のカメラ。
【請求項８】
前記突起部には前記当て面に衝合する弾性部材が設けられていることを特徴とする請求項７に記載のカメラ。
【請求項９】
前記カメラ本体の上部構成壁部には前記一対の案内壁部の近傍に残余の構成壁部よりも隆起しかつ前記カメラ本体の背面側から前記カメラ本体の正面側に向かって延びる隆起形状部が形成され、該隆起形状部と前記一対の案内壁部との間が前記一対の脚部を格納する格納溝となっていることを特徴とする請求項５に記載のカメラ。
【請求項１０】
前記カメラ本体の上部には前記ストロボユニットの格納位置への保持を解除する解除ボタンが設けられ、前記一対の脚部には前記解除ボタンに係合して前記ストロボユニットを格納位置に保持する保持部が設けられていることを特徴とする請求項７に記載のカメラ。
【請求項１１】
前記一対の軸部が前記一対の案内壁部の対向空間に突出してないことを特徴とする請求項５に記載のカメラ。
【請求項１２】
前記弾性部材がゴム材料により形成されていることを特徴とする請求項８に記載のカメラ。
【請求項１３】
前記ストロボユニットの前記カメラ本体に対する角度が３０度であることを特徴とする請求項５に記載のカメラ。
【発明の詳細な説明】
【技術分野】
【０００１】
本発明は、格納位置と使用位置との間で回動可能のストロボユニットをカメラ本体の上部に有し、前記カメラ本体の上部にオプションパーツを案内する一対の案内壁部を有するアクセサリーシューが設けられているカメラの改良に関する。
【背景技術】
【０００２】
従来から、カメラには、格納位置と使用位置との間で回動可能のストロボユニットをカメラ本体の上部に有し、前記カメラ本体の上部にオプションパーツを案内する一対の案内壁部を有するアクセサリーシューが設けられているものが知られている（例えば、特許文献１参照〜特許文献３参照。）。
【０００３】
その特許文献１に開示のものでは、ストロボケースを支持する一対の脚部が断面コ字形状に形成され、一対の脚部がカメラ本体の上壁部に回動可能に支承される構造である。
【０００４】
その特許文献２に開示のものは、ストロボユニットとしてのポップアップユニットの一本の軸に回動可能に支持させてポップアップユニットを格納位置と使用位置との間で回動させる構造である。
【０００５】
その特許文献３に開示のものは、ストロボユニットの一対の脚部としてのステーに一対の軸部を設け、カメラ本体のユニット収納部にこの一対の軸部に嵌合する嵌合穴を形成し、ストロボユニットを回動可能にユニット収納部に軸支させる構造のものである。
【特許文献１】特許第３７４２５５２号
【特許文献２】特許第３８３９３１２号
【特許文献３】特開２００２−４０５３９号公報
【発明の開示】
【発明が解決しようとする課題】
【０００６】
しかしながら、その特許文献１に開示のものは、一対の脚部がアクセサリーシューを跨ぐ構成とされて、カメラ本体の前後方向の厚さを薄くし、コンパクト化を図る構成とはなっているが、一対の脚部をカメラ本体から立ち上げた立ち上がり壁に軸支させる構造となっているので、このままでは、支持強度を保証できず、そこで、この特許文献１に開示のものでは、一対の脚部を断面コ字形状に形成することにより、脚部の支持強度の向上を図る構成とされ、脚部の構造が複雑化し、ひいてはカメラ本体のコンパクト化を図り難いという不都合がある。
【０００７】
また、特許文献２に開示のものは、アクセサリーシューよりも前方でストロボユニットを回動支持させる構成であるので、カメラ本体が前後方向に厚くなるという不都合がある。
【０００８】
更に、特許文献３に開示のものでは、ユニット収納部に立ち上がり壁を形成し、この立ち上がり壁にストロボユニットを回動可能に軸支させる構成であるが、このものもアクセサリーシューの前方にストロボユニットを設ける構成であるので、カメラ本体が前後方向に厚くなるという不都合がある。
【０００９】
本発明は、上記の事情に鑑みて為されたもので、その目的は、支持強度を確保しつつカメラ本体の小型化を図ることのできるカメラを提供することにある。
【課題を解決するための手段】
【００１０】
請求項１に記載の発明は、格納位置と使用位置との間で回動可能のストロボユニットをカメラ本体の上部に有し、前記カメラ本体の上部にオプションパーツを案内する一対の案内壁部を有するアクセサリーシューが設けられているカメラにおいて、前記ストロボユニットは一対の案内壁部を跨ぐ方向に間隔を開けて設けられた一対の脚部を有し、前記一対の案内壁部には該一対の脚部を回動可能に支承する支承部が形成されていることを特徴とするカメラである。
【００１１】
請求項２に記載の発明は、前記ストロボユニットは弾性体によって使用位置に向かう方向に回動付勢されていることを特徴とする請求項１に記載のカメラである。
【００１２】
請求項３に記載の発明は、前記支承部は前記一対の案内壁部にそれぞれ形成された嵌合穴であり、前記一対の脚部には前記各嵌合穴に嵌合される一対の軸部がそれぞれ形成されていることを特徴とする請求項２に記載のカメラである。
【００１３】
請求項４に記載の発明は、前記支承部は前記一対の案内壁部から互いに反対方向に向かって突出する一対の軸部であり、前記一対の脚部には前記一対の軸部に嵌合される嵌合穴がそれぞれ形成されていることを特徴とする請求項２に記載のカメラである。
【００１４】
請求項５に記載の発明は、前記一対の案内壁部は前記カメラ本体の背面側から前面側に向かって延びており、前記支承部は前記背面側で前記一対の脚部の後部を回動可能に支承していることを特徴とする請求項３又は請求項４に記載のカメラである。
【００１５】
請求項６に記載の発明は、前記カメラ本体の上部には前記一対の案内壁部の延びる方向前方部分にカバーが設けられ、該カバーにはその下方に当て面が形成され、前記ストロボユニットは格納位置で前記カメラ本体の正面部に位置され、該ストロボユニットは前記カバーの前記当て面に下から当接して使用位置に回動角度規制されていることを特徴とする請求項５に記載のカメラである。
【００１６】
請求項７に記載の発明は、前記カメラ本体の上部には前記一対の案内壁部の延びる方向前方部分にカバーが設けられ、該カバーにはその下方に当て面が形成され、前記ストロボユニットにはカメラの左右方向中央でかつ下部に前記カメラ本体に向かって突出する係合突起部が形成され、前記ストロボユニットは格納位置で前記カメラ本体の正面部に位置され、該ストロボユニットは前記カバーの前記当て面に前記突起部が下から当接して使用位置に回動角度規制されていることを特徴とする請求項５に記載のカメラである。
【００１７】
請求項８に記載の発明は、前記突起部には前記当て面に衝合する弾性部材が設けられていることを特徴とする請求項７に記載のカメラである。
【００１８】
請求項９に記載の発明は、前記カメラ本体の上部構成壁部には前記一対の案内壁部の近傍に残余の構成壁部よりも隆起しかつ前記カメラ本体の背面側から前記カメラ本体の正面側に向かって延びる隆起形状部が形成され、該隆起形状部と前記一対の案内壁部との間が前記一対の脚部を格納する格納溝となっていることを特徴とする請求項５に記載のカメラである。
【００１９】
請求項１０に記載の発明は、前記カメラ本体の上部には前記ストロボユニットの格納位置への保持を解除する解除ボタンが設けられ、前記一対の脚部には前記解除ボタンに係合して前記ストロボユニットを格納位置に保持する保持部が設けられていることを特徴とする請求項７に記載のカメラである。
【００２０】
請求項１１に記載の発明は、前記一対の軸部が前記一対の案内壁部の対向空間に突出してないことを特徴とする請求項５に記載のカメラである。
【００２１】
請求項１２に記載の発明は、前記弾性部材がゴム材料により形成されていることを特徴とする請求項８に記載のカメラである。
【００２２】
請求項１３に記載の発明は、前記ストロボユニットの前記カメラ本体に対する角度が３０度であることを特徴とする請求項５に記載のカメラである。
【発明の効果】
【００２３】
本発明によれば、もともとから配設されておりかつ支持剛性の高いアクセサリーシューの案内壁部を支承部として用いることにしたので、支持強度を低下させることなくかつ衝撃に対して強いカメラを提供できる。また、カメラ本体の小型化、ひいてはコストの低減化を図ることができる。
更に、アクセサリーユニットをポップアップ式のストロボユニットと一体化してカメラ本体に組み付けることができるので、組み立ても容易である。
特に、請求項６ないし請求項８に記載の発明によれば、ストロボユニットに近い側に当て面を形成しているので、外力からの衝撃に対しても強度の向上を図ることができる。
特に、請求項９に記載の発明によれば、格納位置でのストロボユニットが一対の案内壁部と一対の隆起形状部との間の格納溝に収納されるので、外力からの衝撃に対する破壊防止効果に優れている。
【発明を実施するための最良の形態】
【００２４】
以下に、本発明に係る発明の実施の形態を図面を参照しつつ説明する。
【実施例】
【００２５】
図１、図２は本発明に係わるデジタルカメラを正面から目視した斜視図、図３は本発明に係わるデジタルカメラを背面から目視した斜視図であり、その図１、図２において、１はカメラ本体、２はカメラ本体１に対して出入するレンズ鏡筒部、３はそのカメラ本体１のグリップ部である。そのカメラ本体１の上部には、各種の操作ボタンと共に、ストロボユニット４、アクセサリーシュー部材５、装飾用上カバー６が設けられている。カメラ本体の背部には、図３に示すようにモニター表示画面７の他各種の操作部材が設けられている。カメラ本体１の前面部には装飾用前カバー８が設けられている。
【００２６】
そのストロボユニット４は、図１、図３に示すように、一対の脚部９、９とこの脚部９、９の先端に設けられたストロボケース１０とから構成されている。このストロボケース１０はストロボ上カバー１１とストロボ下カバー１２（図３参照）とストロボパネル１３とを有し、ストロボ下カバー１２はストロボ上カバー１１に嵌合される。このストロボユニット４は、図２に示す格納位置と図１、図３に示す使用位置（発光位置）との間で回動可能とされている。
【００２７】
その装飾用前カバー８にはこれと一体に保護カバー部１４が形成されている。この保護カバー部１４はレンズ鏡筒２の進出方向に延びるひさし形状延長部１４ａとストロボパネル１３を隠蔽する隠蔽部１４ｂとから構成されている。これにより、ストロボユニット４の格納位置でのストロボケース１０の保護が図られている。
【００２８】
ストロボケース１０の内部には、図１１に示すように、発光部としての円筒状のキセノン管８ａ、反射傘８ｂ、トリガーコイル８ｃが設けられている。キセノン管８ａはストロボユニット４の回動軸方向と平行な方向に延びている。トリガーコイル８ｃは図示を略す制御回路に接続され、発光トリガー信号がトリガーコイル８ｃによって直接反射傘８ｂに印加される。ストロボパネル１３は透明体から構成され、キセノン管８ａの発光により発生したストロボ光はストロボパネル１３を透過して外部に照射される。
【００２９】
アクセサリーシュー部材５は、図４に拡大して示すように図示を略すオプションパーツを案内する一対の案内壁部１５、１５と底壁部１６とを有する。一対の案内壁部１５、１５は、図１ないし図３に示すようにカメラ本体１の背面側から前面側に向かって延びている。そのオプションパーツ（別の電気部品）には、例えば、外付け用フラッシュユニット、外付け用光学式ファインダーユニットがある。
【００３０】
このアクセサリーシュー部材５は、ストロボユニット４と一体化されてネジ１６’、１６’（図７参照）によりカメラ本体１の上部に組み付け固定されるものである。その一対の案内壁部１５、１５にはカメラの背部側に嵌合穴としての嵌合穴１５ａ、１５ａ（図４参照）が形成されている。
【００３１】
一対の脚部９、９には図５に拡大して示すようにその後部に互いに対向する一対の軸部９ａ、９ａが設けられている。この一対の脚部９、９は図６に拡大して示すように一対の案内壁部１５、１５を跨ぐようにしてその軸部９ａ、９ａが嵌合穴１５ａ、１５ａに嵌合され、嵌合穴１５ａ、１５ａは一対の脚部９、９を回動可能に支承する支承部として機能する。
【００３２】
その際、一対の軸部９ａ、９ａが一対の案内壁部１５、１５の嵌合穴１５ａ、１５ａを貫通しないようにすること、すなわち、その一対の案内壁部１５、１５の対向空間１４Ａ（図４参照）に突出しないようにして、一対の脚部９、９を一対の案内壁部１５、１５に支承させる構成とすることが望ましい。このように構成することにより、オプションパーツの取り付けの際にその干渉を避けることができる。
【００３３】
カメラ本体１の上部構成壁部（上部）には、図１〜図３、図８に示すように一対の案内壁部１５、１５の近傍に残余の構成壁部よりも隆起しかつカメラ本体１の背面側からカメラ本体１の正面側に向かって延びる隆起形状部１６、１６が形成されている。この隆起形状部１６、１６と一対の案内壁部１５、１５との間が一対の脚部９、９を格納する格納溝１７（図８参照）となっている。
【００３４】
カメラ本体１の上部には、図７に示すように、弾性体としてのバネ１８が設けられている。このバネ１８はストロボユニット４を使用位置に向かう方向に回動付勢する役割を果たす。このバネ１８には竹の子ばねがここでは用いられているがコイルバネ、トーションバネ、板バネ等の他の種類のバネを用いても良い。ここでは、このバネ１８はカメラ本体１を背面側から見て左側の脚部９の下方に設けられている。このバネ１８を片側のみに設けることにより、カメラの小型化、製作の容易化、コストの低減化を図ることができる。
【００３５】
そのカメラ本体１の上部には、図８〜図１０に示すようにストロボユニット４の格納位置への保持を解除する解除ボタン１９が設けられている。この解除ボタン１９はロック部材１９ａを有する。このロック部材１９ａは一対の脚部９、９の一方に臨む爪１９ｂを有する。このロック部材１９ａはストロボベース板２０に回動可能に支持されている。
【００３６】
一対の脚部９、９の一方はその爪１９ｂに係合する係合凹所壁９ｂをその側面に有する。その解除ボタン１９はスプリング２１によってそのロック部材１９ａが係合凹所壁９ｂに当接する方向に付勢されている。
【００３７】
カメラ本体１の上部には、図１１に示すように一対の案内壁部１５、１５の延びる方向前方部分にカバー２２が設けられている。このカバー２２にはその下方に当て面２２ａが形成されている。ストロボユニット４にはカメラ本体１の左右方向中央でかつ下部にカメラ本体１に向かって突出する係合突起部２３が形成されている。ストロボユニット４は図２に示すように格納位置でカメラ本体１の正面部に位置され、ストロボユニット４はカバー２２の当て面２２ａに突起部２３が下から当接して使用位置に回動角度規制され、この位置でストロボユニット４の姿勢が維持されるものである。
【００３８】
その突起部２３には当て面２２ａに衝合する弾性部材２３ａが設けられている。弾性部材２３ａはゴム材料から形成するのが望ましい。この弾性部材２３ａは突起部２３から０．１ｍｍ程度カメラ本体１の側に向かって突出している。
【００３９】
図２に示す格納状態にあるストロボユニット４を使用位置に向かって起立させる際には、スプリング２１の付勢力に抗して、図１０に示す矢印Ｆ１方向に解除ボタン１９を操作する。すると、係合凹所壁９ｂに対する爪１９ｂのロックが解除されて、ストロボユニット４はバネ１８の付勢力によって使用位置に向かう方向に回動される。
【００４０】
その際、ストロボユニット４はその突起部２３が当て面２２ａに当接して回動角度が規制される。この回動角度は図１２に示すように水平方向に対して約３０度であることが望ましい。このように回動角度を設定することにより、ストロボユニット４の突起部２３の当て面２２ａの当接の際に、衝撃力が分散されて衝撃が緩和される。また、衝突の際のバウンドも防止できる。
【００４１】
更に、この発明の実施の形態では、ストロボユニット４の起立方向への回動の際に、角度規制面としての当て面２２ａに突起部２３に設けた弾性部材２３ａのわずかに突出した先端が当て面２２ａに当たり、その後、突起部２３に支持された弾性部材２３ａの略全体が当接することになるので、最初に弾性部材２３ａのみからなる軟らかい部分が当て面２２ａに当接するので、回動停止直後の衝撃緩和が期待される。
【００４２】
その使用位置にあるストロボユニット４を格納位置に収納する際には、ストロボユニット４をバネ１８の付勢力に抗して格納位置に向かって押し込むと、ロック部材１９ａが脚部９の下壁によってスプリング２１の付勢力に抗する方向に可動され、爪１９ｂが係合凹所壁９ｂに臨むとスプリング２１の付勢力によって係合凹所壁９ｂ内に進出し、ストロボユニット４が格納位置にロックされる。
【００４３】
この発明の実施の形態では、ロック部材１９ａと係合凹所壁９ｂとをバネ１８の側に設ける構成としているので、片側のみバネ１８、ロック部材１９ａ、係合凹所壁９ｂを設けた場合でも、格納位置でのストロボユニット４の光軸Ｏ回り方向（図２に示す矢印Ｆ２方向）の捩れを防止できる。
【００４４】
すなわち、ロック部材１９ａと係合凹所周壁９ｂとをバネ１８が設けられている側の一方の脚部９とは別の他方の脚部９の側に設けることにすると、格納位置でストロボユニット４に光軸Ｏ回りの捩れが発生するおそれがあるが、この発明の実施の形態によれば、この捩れの発生を防止できる。
【００４５】
この発明の実施の形態では、支承部を図４に示す一対の案内壁部１５、１５にそれぞれ形成された嵌合穴１５ａ、１５ａと、図５に示す一対の脚部９、９にそれぞれ形成した一対の軸部９ａ、９ａとにより形成したが、支承部を図１３に示す一対の案内壁部１５、１５から互いに反対方向に向かって突出する一対の軸部９ａ、９ａと図１４に示す一対の脚部９、９にそれぞれ形成した嵌合穴１５ａ、１５ａとによって形成しても良い。
【００４６】
また、一対の案内壁部１５、１５と一対の脚部９、９の双方に互いに対応する嵌合穴を形成すると共に、軸部を別体に形成し、一対の案内壁部１５、１５と一対の脚部９、９とのいずれか一方の嵌合穴に軸部を組み付けてカシメにより一体化する構成とすることもできる。
【図面の簡単な説明】
【００４７】
【図１】本発明に係わるカメラを正面側から目視した斜視図であって、ストロボユニットが使用位置に保持されている状態を示す図である。
【図２】本発明に係わるカメラを正面側から目視した斜視図であって、ストロボユニットが格納位置に保持されている状態を示す図である。
【図３】本発明に係わるカメラを背面側から目視した斜視図であって、ストロボユニットが使用位置に保持されている状態を示す図である。
【図４】図１ないし図３に示すアクセサリーシュー部材の概略構成を示す拡大斜視図である。
【図５】図１ないし図３に示すストロボユニットの概略構成を示す拡大斜視図である。
【図６】図１ないし図３に示すアクセサリーシュー部材へのストロボユニットの組み付け状態を示す拡大斜視図である。
【図７】図１ないし図３に示すアクセサリーシュー部材とストロボユニットの組み付け体のカメラ本体への組み付け状態を示す部分断面図である。
【図８】図１ないし図３に示すストロボユニットの使用位置における状態を背面側から目視した状態を示す部分拡大斜視図である。
【図９】図８に示すストロボユニットの使用位置における状態を背面側から目視した状態を示す部分拡大斜視図であって、その内部構造を示す図である
【図１０】図９に示すストロボユニットの格納位置における状態を背面側から目視した状態を示す部分拡大斜視図であって、その内部構造を示す図である。
【図１１】図１に示すストロボユニットの使用位置における回動角度規制状態を示す断面図である。
【図１２】図１１に示すストロボユニットの使用位置における回動角度規制状態を示す拡大図である
【図１３】図４に示すアクセサリーシュー部材の他の構成を説明するための斜視図である。
【図１４】図５に示すストロボユニットの他の構成を説明するための斜視図である。
【符号の説明】
【００４８】
１…カメラ本体
４…ストロボユニット
５…アクセサリーシュー
９…脚部
９ａ…軸部
１５…案内壁部
１５ａ…嵌合穴
【図１】
2008233704.tif 000003
【図２】
2008233704.tif 000004
【図３】
2008233704.tif 000005
【図４】
2008233704.tif 000006
【図５】
2008233704.tif 000007
【図６】
2008233704.tif 000008
【図７】
2008233704.tif 000009
【図８】
2008233704.tif 000010
【図９】
2008233704.tif 000011
【図１０】
2008233704.tif 000012
【図１１】
2008233704.tif 000013
【図１２】
2008233704.tif 000014
【図１３】
2008233704.tif 000015
【図１４】
2008233704.tif 000016